(57)【要約】開示される実施形態は、様々なＴＤＤ−ＦＤＤ共同オペレーション無線ネットワーク構成に関するエンドツーエンドのＵＥ及びｅＮＢのＨＡＲＱプロトコル設計を含む。ＰＤＳＣＨ及びＰＵＳＣＨ伝送（又は単に、ＰＤＳＣＨ及びＰＵＳＣＨ）に応答するＨＡＲＱフィードバックのタイミングに関する設計は、ＵＥからのＨＡＲＱフィードバックとｅＮＢからのＨＡＲＱフィードバックとの両方を含む。また、ＰＵＳＣＨ  ＨＡＲＱタイムライン実施形態は、ＰＵＳＣＨ伝送に関するセルフスケジューリングとクロスキャリアスケジューリングシナリオの両方を含む。加えて、クロスキャリアスケジューリングシナリオに関する設計は、ＦＤＤスケジューリングセル又はＴＤＤスケジューリングセルを考慮する。
2016532342.tif 000002
【特許請求の範囲】
【請求項１】
時分割デュプレックス（ＴＤＤ）・周波数分割デュプレックス（ＦＤＤ）共同オペレーションのためのユーザーイクイップメント（ＵＥ）であって、
第１の進化型ユニバーサル地上波無線アクセスネットワークノードＢ（ｅＮＢ）によって提供されるＦＤＤコンポーネントキャリア（ＣＣ）上の第１の物理ダウンリンク共有チャネル（ＰＤＳＣＨ）伝送を受信し、且つ、第２のｅＮＢによって提供されるＴＤＤ  ＣＣ上の第２のＰＤＳＣＨ伝送を受信するように構成される受信部と、
前記第１のＰＤＳＣＨの受信に応答して、前記第１のｅＮＢに関して第１のハイブリッド自動再送要求（ＨＡＲＱ）ビットメッセージを生成し、且つ、前記第２のＰＤＳＣＨの受信に応答して、前記第２のｅＮＢに関して第２のＨＡＲＱビットメッセージを生成するように構成される回路と、
前記ＦＤＤ  ＣＣの第１のアップリンクサブフレームにおいて、ＦＤＤ  ＬＴＥ（long  term  evolution）システムの所定のＨＡＲＱタイミングに従って、前記第１のＨＡＲＱビットメッセージを送信し、且つ、前記所定のＨＡＲＱタイミングに従って、前記ＦＤＤ  ＣＣの第２のアップリンクサブフレームにおいて前記第２のＨＡＲＱビットメッセージを送信するように構成される送信部と、
を備えるＵＥ。
【請求項２】
前記所定のＨＡＲＱタイミングは、サブフレームインデックス値がｎであるダウンリンクサブフレームにおいて受信されるＰＤＳＣＨ伝送に関して、サブフレームインデックス値がｎ＋４であるアップリンクサブフレームの間に対応するＨＡＲＱビットメッセージが送信されることを指定する、
請求項１に記載のＵＥ。
【請求項３】
前記第１のｅＮＢと前記第２のｅＮＢは同じｅＮＢである、
請求項１に記載のＵＥ。
【請求項４】
前記第１のｅＮＢと前記第２のｅＮＢは、バックホールインターフェースによって接続される異なるｅＮＢである、
請求項１に記載のＵＥ。
【請求項５】
前記第１のアップリンクサブフレームと前記第２のアップリンクサブフレームは同じサブフレームであり、前記送信部は、同じサブフレームにおいて、前記第１及び第２のｅＮＢに対して、前記第１及び第２のＨＡＲＱビットメッセージの連結を送信するように構成される、
請求項１に記載のＵＥ。
【請求項６】
前記第１のＨＡＲＱビットメッセージはＨＡＲＱアクノリッジメント（ＨＡＲＱ−ＡＣＫ）ビットを含む、
請求項１に記載のＵＥ。
【請求項７】
前記第１のｅＮＢは、物理アップリンク制御チャネル（ＰＵＣＣＨ）又は物理アップリンク共有チャネル（ＰＵＳＣＨ）において、前記第１及び第２のＨＡＲＱビットメッセージを受信する、
請求項１に記載のＵＥ。
【請求項８】
時分割デュプレックス（ＴＤＤ）・周波数分割デュプレックス（ＦＤＤ）（ＴＤＤ−ＦＤＤ）キャリアアグリゲーション（ＣＡ）（ＴＤＤ−ＦＤＤ  ＣＡ）構成に従う無線通信のためのユーザーイクイップメント（ＵＥ）であって、
第１の所定のＰＵＳＣＨスケジューリングタイミングに対応する第１のサブフレームの間に、前記ＴＤＤ−ＦＤＤ  ＣＡ構成のＦＤＤコンポーネントキャリア（ＣＣ）で第１の物理アップリンク共有チャネル（ＰＵＳＣＨ）を送信し、且つ、第２の所定のＰＵＳＣＨスケジューリングタイミングに対応する第２のサブフレームの間に、前記ＴＤＤ−ＦＤＤ  ＣＡ構成のＴＤＤ  ＣＣで第２のＰＵＳＣＨを送信するように構成される送信部であって、前記第１の所定のＰＵＳＣＨスケジューリングタイミングは前記第２の所定のＰＵＳＣＨスケジューリングタイミングとは異なる、送信部と、
前記ＦＤＤ  ＣＣ上で、第１の所定のＰＵＳＣＨハイブリッド自動再送要求（ＨＡＲＱ）タイミングに従って、前記第１のＰＵＳＣＨに関連する第１の物理ＨＡＲＱインジケータチャネル（ＰＨＩＣＨ）を検出し、且つ、前記ＴＤＤ  ＣＣ上で、第２の所定のＰＵＳＣＨ  ＨＡＲＱタイミングに従って、前記第２のＰＵＳＣＨに関連する第２のＰＨＩＣＨを検出するように当該ＵＥを構成するための回路であって、前記第１の所定のＰＵＳＣＨ  ＨＡＲＱタイミングは前記第２の所定のＰＵＳＣＨ  ＨＡＲＱタイミングとは異なる、回路と、
を備えるＵＥ。
【請求項９】
前記ＦＤＤ  ＣＣ及び前記ＴＤＤ  ＣＣ上で、第１のＰＵＳＣＨと関連する前記第１のＰＨＩＣＨと前記第２のＰＵＳＣＨと関連する前記第２のＰＨＩＣＨとを同時に受信するように構成される受信部、
を更に備える、請求項８に記載のＵＥ。
【請求項１０】
前記第１の所定のＰＵＳＣＨスケジューリングタイミングは、サブフレームインデックス値がｎであるダウンリンクサブフレームの間に当該ＵＥがＦＤＤ  ＣＣアップリンク許可を受信することに応答して、前記送信部が、サブフレームインデックス値がｎ＋４であるＦＤＤアップリンクサブフレームにおいて前記第１のＰＵＳＣＨを送信するように構成されることを指定する、
請求項８に記載のＵＥ。
【請求項１１】
前記第２の所定のＰＵＳＣＨスケジューリングタイミングは、サブフレームインデックス値がｎであるダウンリンクサブフレームの間に当該ＵＥがＴＤＤ  ＣＣアップリンク許可を受信することに応答して、前記送信部が、サブフレームインデックス値がｎ＋ｋであるＴＤＤアップリンクサブフレームにおいて前記第２のＰＵＳＣＨを送信するように構成されることを指定し、ｋ＞４であり、ｋは前記ＴＤＤ  ＣＣの予め構成されたＴＤＤ構成タイプに基づく、
請求項８に記載のＵＥ。
【請求項１２】
前記第１の所定のＰＵＳＣＨ  ＨＡＲＱタイミングは、サブフレームインデックス値ｎの間の前記ＦＤＤ  ＣＣ上のＰＵＳＣＨが、サブフレームインデックス値ｎ＋４の間の前記第１のＰＨＩＣＨ上に関連のＨＡＲＱメッセージを有することを指定する、
請求項８に記載のＵＥ。
【請求項１３】
前記第２の所定のＰＵＳＣＨ  ＨＡＲＱタイミングは、サブフレームインデックス値ｎの間の前記ＴＤＤ  ＣＣ上のＰＵＳＣＨが、サブフレームインデックス値ｎ＋ｋの間にの前記第２のＰＨＩＣＨ上に関連のＨＡＲＱメッセージを有することを指定し、ｋ＞４であり、ｋは前記ＴＤＤ  ＣＣの予め構成されたＴＤＤ構成に基づく、
請求項８に記載のＵＥ。
【請求項１４】
前記ＦＤＤ及びＴＤＤ  ＣＣは、共同配置の進化型ユニバーサル地上波無線アクセスネットワークノードＢによって提供される、
請求項８に記載のＵＥ。
【請求項１５】
クロスキャリアスケジュールドキャリアアグリゲーション用に構成されたユーザーイクイップメント（ＵＥ）であって、当該ＵＥは回路を備え、
前記回路は、
第１のデュプレックスモードを有するスケジューリングセルにおいて、物理ハイブリッド自動再送要求（ＨＡＲＱ）インジケータチャネル（ＰＨＩＣＨ）又は物理的ダウンリンク制御チャネル（ＰＤＣＣＨ）を復号して、後続のＰＵＳＣＨをスケジューリングする情報を取得するように構成され、前記後続のＰＵＳＣＨは、前記スケジューリングセルの第１のＰＵＳＣＨと、前記第１のデュプレックスモードとは異なる第２のデュプレックスモードを有するスケジュールドセルの第２のＰＵＳＣＨとを含み、
且つ、前記ＰＨＩＣＨから、前記第１のＰＵＳＣＨに応答する第１のＨＡＲＱを検出するように構成され、前記第１のＨＡＲＱは、前記第１のデュプレックスモードに対応する第１の所定のＨＡＲＱタイミングに従って検出され、
且つ、前記ＰＨＩＣＨから、前記第２のＰＵＳＣＨに応答する第２のＨＡＲＱを検出するように構成され、前記第２のＨＡＲＱは、前記第１のデュプレックスモード又は第２のデュプレックスモードに対応する第２の所定のＨＡＲＱタイミングに従って検出される、
ＵＥ。
【請求項１６】
前記第１のデュプレックスモードはＦＤＤモードであり、前記第２のデュプレックスモードはＴＤＤモードである、
請求項１５に記載のＵＥ。
【請求項１７】
当該ＵＥがサブフレームインデックス値ｎの間に前記スケジュールドセルと関連するＰＤＣＣＨ又はＰＨＩＣＨ伝送を受信することに応答して、前記第２のＰＵＳＣＨは、所定のＦＤＤ  ＰＵＳＣＨスケジューリングに従って、サブフレームインデックス値ｎ＋４の間に送信されるように構成される、
請求項１６に記載のＵＥ。
【請求項１８】
当該ＵＥがサブフレームインデックス値ｎの間に前記スケジュールドセルと関連するＰＤＣＣＨ又はＰＨＩＣＨを受信することに応答して、前記第２のＰＵＳＣＨは、サブフレームインデックス値ｎ＋ｋの間に送信されるように構成され、ｋ＞４であり、ｋは予め構成されたＴＤＤ構成タイプに基づく、
請求項１６に記載のＵＥ。
【請求項１９】
前記第２の所定のＨＡＲＱタイミングはＦＤＤモードに対応し、前記第２の所定のＨＡＲＱタイミングは、サブフレームインデックス値ｎの間に送信された前記第２のＰＵＳＣＨが、サブフレームインデックス値ｎ＋４の間に前記ＰＨＩＣＨで搬送される関連のＨＡＲＱメッセージを有することを指定する、
請求項１６に記載のＵＥ。
【請求項２０】
前記第２の所定のＨＡＲＱタイミングはＴＤＤモードに対応し、前記第２の所定のＨＡＲＱタイミングは、サブフレームインデックス値ｎの間に送信された前記第２のＰＵＳＣＨが、サブフレームインデックス値ｎ＋ｋの間に前記ＰＨＩＣＨで搬送される関連のＨＡＲＱメッセージを有することを指定し、ｋ＞４であり、ｋは予め構成されたＴＤＤ構成に基づく、
請求項１６に記載のＵＥ。
【請求項２１】
前記第１のデュプレックスモードはＴＤＤモードであり、前記第２のデュプレックスモードはＦＤＤモードである
請求項１５に記載のＵＥ。
【請求項２２】
当該ＵＥがサブフレームインデックス値ｎの間に前記スケジュールドセルと関連するＰＤＣＣＨ又はＰＨＩＣＨを受信することに応答して、前記第２のＰＵＳＣＨは、サブフレームインデックス値ｎ＋ｋの間に送信されるように構成され、ｋ＞４であり、ｋは予め構成されたＴＤＤ構成タイプに基づく、
請求項２１に記載のＵＥ。
【請求項２３】
前記第２の所定のＨＡＲＱタイミングはＴＤＤモードに対応し、前記第２の所定のＨＡＲＱタイミングは、サブフレームインデックス値ｎの間に送信された前記第２のＰＵＳＣＨが、サブフレームインデックス値ｎ＋ｋの間に前記ＰＨＩＣＨで搬送される関連のＨＡＲＱメッセージを有することを指定し、ｋ＞４であり、ｋは予め構成されたＴＤＤ構成タイプに基づく、
請求項２１に記載のＵＥ。
【請求項２４】
当該ＵＥがサブフレームインデックス値ｎの間に前記スケジュールドセルと関連するＰＤＣＣＨ又はＰＨＩＣＨを受信することに応答して、前記第２のＰＵＳＣＨは、サブフレームインデックス値ｎ＋ｋの間に送信されるように構成され、ｋ＞４であり、ｋは予め構成されたＴＤＤ構成タイプに基づく、
請求項１５に記載のＵＥ。
【請求項２５】
前記第２の所定のＨＡＲＱタイミングはＴＤＤモードに対応し、前記第２の所定のＨＡＲＱタイミングは、サブフレームインデックス値ｎの間に送信された前記第２のＰＵＳＣＨが、サブフレームインデックス値ｎ＋ｋの間に前記ＰＨＩＣＨで搬送される関連のＨＡＲＱメッセージを有することを指定し、ｋ＞４であり、ｋは予め構成されたＴＤＤ構成に基づく、
請求項１５に記載のＵＥ。
【発明の詳細な説明】
【技術分野】
【０００１】
本開示は、２０１３年９月２６日出願の米国特許仮出願第６１／８８３，１２７号（代理人整理番号Ｐ６１１９２Ｚ）の優先権を主張し、その全体を参照により本明細書に援用する。
【０００２】
本開示の実施形態は、一般に無線通信に関し、より詳細には、ＬＴＥ（long  term  evolution）ネットワークについての３ＧＰＰ（Third  Generation  Partnership  Project）規格に従って動作する進化型ユニバーサル地上波無線アクセス（ＥＵＴＲＡ）ネットワーク（ＥＵＴＲＡＮ）のための無線ネットワーク構成に関する。
【背景技術】
【０００３】
以前のＬＴＥリリースプログラム（すなわちＲｅｌ−１０及びＲｅｌ−１１）は、同じデュプレックスモードを採用する複数のコンポーネントキャリアに同時にアクセスするユーザーイクイップメント装置（単にユーザーイクイップメント（ＵＥ）とも呼ばれる）を提供してきた。利用可能なデュプレックスモードは、時分割デュプレックス（ＴＤＤ）か周波数分割デュプレックス（ＦＤＤ）モードのいずれかである。例えば、無線ネットワーク構成がＴＤＤ−ＴＤＤ（又はＦＤＤ−ＦＤＤ）キャリアアグリゲーション（ＣＡ）を採用することにより、ＵＥは、非アクセス層モビリティ情報を提供するプライマリセル（Ｐセル）コンポーネントキャリア（ＣＣ）と、ＵＥに追加的なデータ伝送帯域幅を提供する１以上のセカンダリセル（Ｓセル）ＣＣとにアクセスすることができる。この例では、ＳセルはＰセルと同じデュプレックスモードを有し得る。
【図面の簡単な説明】
【０００４】
【図１】一部の実施形態に係る無線ネットワーク構成のブロック図である。
【図２】一部の実施形態に係る、ＴＤＤ−ＦＤＤ共同オペレーションＣＡを用いた共同配置の進化型ユニバーサル地上波無線アクセスネットワークノードＢ（ｅＮＢ）を採用する無線ネットワーク構成のブロック図である。
【図３】一部の実施形態に係る、ＴＤＤ−ＦＤＤ共同オペレーションＣＡを用いた非共同配置のｅＮＢを採用する無線ネットワーク構成のブロック図である。
【図４】一部の実施形態に係る、物理ダウンリンク共有チャネル（ＰＤＳＣＨ）ハイブリッド自動再送要求（ＨＡＲＱ）タイムラインを示す、サブフレームのタイムラインである。
【図５】第１の実施形態に係る、物理アップリンク共有チャネル（ＰＵＳＣＨ）ＨＡＲＱタイムラインを示す、サブフレームのタイムラインである。
【図６】第２の実施形態に係る、ＰＵＳＣＨ  ＨＡＲＱタイムラインを示す、サブフレームのタイムラインである。
【図７】第３の実施形態に係る、ＰＵＳＣＨ  ＨＡＲＱタイムラインを示す、サブフレームのタイムラインである。
【図８】一部の実施形態に係る無線通信装置ＵＥのブロック図である。
【発明を実施するための形態】
【０００５】
以下の実施形態の詳細な説明から、本開示の態様及び利点が明らかになるであろう。詳細な説明は前述の図面を参照して進行する。
【０００６】
１．キャリアアグリゲーション
図１は一部の実施形態に係る無線ネットワークを示す。無線ネットワーク１００は、ＵＥ１０２と、ＵＥ１０２等のＵＥに通信サービスを提供する複数のｅＮＢ１０４，１０６，１０８とを含む。一部の実施形態では、ｅＮＢ１０４，１０６，１０８は、Ｘ２（バックホール）インターフェース１１０で互いに通信してよい。各ｅＮＢ１０４，１０６，１０８は、マクロセル及びスモールセルを含み得る１以上のサービングセルと関連してよい。
【０００７】
一部の実施形態では、ｅＮＢ１０４及びｅＮＢ１０６（又は他のｅＮＢ）はｅＮＢ間ＣＡに関与してよい。ｅＮＢ間ＣＡでは、サービングセル（Ｐセル及びＳセル）は異なるｅＮＢ間でオペレートされる。例えば、ＰセルはｅＮＢ１０４のマクロセルからサービス提供を受け、ＳセルはｅＮＢ１０６のスモールセルからサービス提供を受け、それらのサービングセルはＸ２インターフェース１１０で通信する。ｅＮＢ間ＣＡによれば、異なるセルの２以上のコンポーネントキャリアがまとまって、２以上のｅＮＢ（例えばｅＮＢ１０４、１０６又は１０８）から利用可能なダウンリンクチャネル１１２のリソースブロックを受信するＵＥ１０２にサービス提供する。ｅＮＢ間ＣＡはデュアル接続オペレーションの例であり、所与のＵＥが、“RRC_CONNECTED”の無線リソース制御（ＲＲＣ）状態中に、非理想バックホールと接続される少なくとも２つの異なるネットワークポイント（マスターｅＮＢ及びセカンダリｅＮＢ）によって提供される無線リソースを消費する。一般に、Ｐセルは、１個の物理的ダウンリンク制御チャネル（ＰＤＣＣＨ）と、１個の物理アップリンク制御チャネル（ＰＵＣＣＨ）と、物理ＨＡＲＱインジケータチャネル（ＰＨＩＣＨ）とで構成される。また、ＰセルはＰＤＳＣＨ又はＰＵＳＣＨも有し得る。Ｓセルは、これらの共有チャネル、ＰＤＣＣＨ及びＰＨＩＣＨで構成することができるが、従来のＬＴＥシステムでは通常ＰＵＣＣＨは用いられない。例えば、ｅＮＢ１０４のダウンリンクチャネル１１２は、ＰＤＳＣＨ、ＰＤＣＣＨ及びＰＨＩＣＨを含む。一部の実施形態では、アップリンクチャネル１１４はＰＵＳＣＨ又はＰＵＣＣＨを含んでよい。
【０００８】
２．共同オペレーション
ＬＴＥリリースプログラム１２（Ｒｅｌ−１２）は、共同オペレーションをサポートすることを目的としている。共同オペレーションシステムでは、ＵＥはＴＤＤキャリア及びＦＤＤキャリアに同時にアクセスする。これにより、ＬＴＥ  ＦＤＤモードとＴＤＤモードの両方について利用可能なスペクトルを処理するＬＴＥオペレータは、ＴＤＤスペクトルリソースとＦＤＤスペクトルリソースの両方を同時にＵＥに提供することができ、結果としてシステム性能とユーザーエクスペリエンスが改善される。共同オペレーションは概して“ＴＤＤ−ＦＤＤ”共同オペレーションと呼ばれるが、“ＦＤＤ＋ＴＤＤ”その他の略称でも呼ばれる。“ＴＤＤ−ＦＤＤ”での“ＴＤＤ”と“ＦＤＤ”の順序は一般的な慣習に過ぎず、何らかの限定を示すものではない。
【０００９】
Ｒｅｌ−１２においてＴＤＤ−ＦＤＤ共同オペレーションのサポートを発展させるために、一部の３ＧＰＰメンバーにより、ＴＤＤ−ＦＤＤ共同オペレーション作業項目が発展された。作業項目の目的は、これらのモード間のＣＡ（ＴＤＤ−ＦＤＤ  ＣＡ）や、フレキシブル・アグリゲーション・オプション等のＴＤＤ−ＦＤＤ共同オペレーション用の他の潜在的な展開シナリオを採用する無線ネットワーク構成を定義することにより、ＬＴＥ  ＴＤＤモード及びＦＤＤモードの共同オペレーションを強化することであり、例えば、ＴＤＤ  ＣＣかＦＤＤ  ＣＣのいずれかが集合接続においてプライマリキャリアとして機能し、且つ関連する制御シグナリングを搬送できるようにする。ＴＤＤ−ＦＤＤ共同オペレーション作業項目は、共同オペレーションの技術要件及び潜在的ソリューションを特定することと、該２つのモードに関するＣＡの一般的フレームワークを定義することについて、初期評価フェーズを含む。
【００１０】
技術仕様グループ（ＴＳＧ）無線アクセスネットワーク（ＲＡＮ）（ＴＳＧ  ＲＡＮ）は、ＵＴＲＡＮ／ＥＵＴＲＡＮのデュプレックスモード、すなわち現在のＦＤＤ及びＴＤＤでの機能、要件及びインターフェースの定義を担当する。ＴＳＧ  ＲＡＮの中で、ＲＡＮ作業グループ１（又は単にＲＡＮ１）は、ＵＥ、ＵＴＲＡＮ、ＥＵＴＲＡＮとそれ以降についての無線インターフェースの物理層の無線レイヤ１仕様を担当し、無線インターフェースのＦＤＤモードとＴＤＤモードの両方をカバーする。ＲＡＮ１＃７４ミーティングでＴＤＤ−ＦＤＤ共同オペレーションに関連して合意に達した内容は、以下のようにまとめられる。第１に、ＲＡＮ総会（ＲＰ）−１３０８８８合意によれば、ＬＴＥ  ＴＤＤ−ＦＤＤ  ＣＡソリューションは、理想バックホールが仮定されるＴＤＤ−ＦＤＤ共同オペレーションソリューションとして特定される。第２に、ＲＡＮ２スモールセル強化検討事項の結果としてデュアル接続を指定することが決定され、且つ、ＴＤＤ−ＦＤＤ共同オペレーションに関するＣＡに基づかないソリューションをサポートすることが決定された場合、一部の実施形態では、デュアル接続特性は、ＴＤＤ−ＴＤＤとＦＤＤ−ＦＤＤのデュアル接続に加えて、適用可能なシナリオにおいてＴＤＤ−ＦＤＤデュアル接続をサポートするように設計されることになる。
【００１１】
Ｒｅｌ−１２でのＴＤＤ−ＦＤＤ  ＣＡは、１つのサブフレームでの多重アップリンク伝送の機能をもつＵＥをターゲットにしてもよく、もたないＵＥをターゲットにしてもよい。また、図２に示すような共同配置シナリオ（例えばＲｅｌ−１０／１１のＣＡシナリオ１〜３）と図３に示すような非共同配置シナリオ（例えばＲｅｌ−１０／１１のＣＡシナリオ４）の両方を含む異なる展開シナリオをターゲットにしてもよい。
【００１２】
図２は、ＴＤＤ−ＦＤＤ共同オペレーションＣＡ２０２を採用する無線ネットワーク構成２００の共同配置（理想バックホールシナリオ）実施形態を示す。ＵＥ２０４は、第１のｅＮＢ２２６によって提供される第１のサービングセル２２０のＦＤＤ  ＣＣ２０６を、第２の（共同配置される）ｅＮＢ２３８によって提供される第２のサービングセル２３２のＴＤＤ  ＣＣ２３０と共にアグリゲートする。
【００１３】
図３は、理想バックホールシナリオと非理想バックホールシナリオのそれぞれについてＴＤＤ−ＦＤＤ共同オペレーションソリューションを採用する２つの非共同配置実施形態を示す。第１の無線ネットワーク構成３００は、第１のデュプレックスモード（ＦＤＤ又はＴＤＤ）ＣＣのマクロセル３０４を提供するｅＮＢ３０２と、マクロセル３０４のものとは逆のデュプレックスモード（ＴＤＤ又はＦＤＤ）のスモールセル３１２を提供するＲＲＨ（remote  radio  head）３１０とを含む。ｅＮＢ３０２及びＲＲＨ３１０は理想バックホール３１４と接続され、ＵＥ３２０にＴＤＤ−ＦＤＤ共同オペレーションＣＡソリューション３２４を提供する。また、第２の無線ネットワーク構成３３０はマクロセル３０４に関するｅＮＢ３０２を含むが、本実施形態では、ピコｅＮＢ３３２は、マクロセル３０４のものとは逆のデュプレックスモード（ＴＤＤ又はＦＤＤ）のスモールセル３３４を提供する。ｅＮＢ３０２及びピコｅＮＢ３３２は非理想バックホール３４０と接続され、ＵＥ３４４にＴＤＤ−ＦＤＤデュアル接続ソリューション３５０を提供する。
【００１４】
概して、理想バックホールの仮定は、動作効率の改善につながり、且つ、Ｒｅｌ−１０／１１ＣＡ設計原理の再利用を可能にする。例えば、Ｒｅｌ−１０／１１原理は、ＰＨＩＣＨの復号、関連するＨＡＲＱの検出等に用いられてよい。本開示は、ＴＤＤ−ＦＤＤ  ＣＡの違いと先行のシングル−デュプレックスモードＲｅｌ−１０／１１ＴＤＤ−ＴＤＤ  ＣＡ（又はＦＤＤ−ＦＤＤ  ＣＡ）とに対応する技術的特徴及びソリューションにより、これらの原理を補完する。
【００１５】
本開示では、ＰＤＳＣＨ伝送及びＰＵＳＣＨ伝送（又は単に、ＰＤＳＣＨ及びＰＵＳＣＨ）に従うＨＡＲＱフィードバックタイミングについての設計のいくつかの実施形態が示される。これらの実施形態は、ＵＥからのＨＡＲＱフィードバックとｅＮＢからのＨＡＲＱフィードバックの両方を含む。ＵＥのＨＡＲＱフィードバックタイムライン（ＰＤＳＣＨ  ＨＡＲＱタイムライン）は、ダウンリンク（再）伝送に応答してＵＥによって送信されるＨＡＲＱビットメッセージ用であり、ｅＮＢのＨＡＲＱフィードバックタイムライン（ＰＵＳＣＨ  ＨＡＲＱタイムライン）は、アップリンク（再）伝送に応答するｅＮＢからのＨＡＲＱビットメッセージ用である。更に、ＰＵＳＣＨ  ＨＡＲＱタイムライン実施形態は、セルフスケジューリングシナリオとクロスキャリアスケジューリングシナリオの両方を含む。加えて、ＰＵＳＣＨ  ＨＡＲＱタイムラインの設計は、スケジューリングサービングセルとして機能するＦＤＤ又はスケジューリングサービングセルとして機能するＴＤＤのシナリオを含む。よって、本開示は、様々なＴＤＤ−ＦＤＤ共同オペレーション無線ネットワーク構成に関する、エンドツーエンドＵＥ・ｅＮＢ  ＨＡＲＱプロトコル設計を包含する。
【００１６】
３．ＰＤＳＣＨ  ＨＡＲＱタイムライン
Ｒｅｌ−１０／１１のＣＡでは、ＰＵＣＣＨはＰセル上で送信され、Ｓセル上では送信されない。したがって、ＰＵＣＣＨが１つのサービングセル上で送信されると仮定すると、ＦＤＤ  ＣＣがＰセルとして構成されＴＤＤ  ＣＣがＳセルとして構成される場合、ＴＤＤ  ＣＣで送信されたＰＤＳＣＨは、ＦＤＤ  ＣＣに関する所定のＦＤＤ  ＨＡＲＱタイムラインに従う。
【００１７】
例えば、図４は一実施形態に係るＰＤＳＣＨ  ＨＡＲＱタイムライン４００を示す。この例では、ＦＤＤ  ＣＣセル４０２及びＴＤＤ  ＣＣセル４０４が存在する。セル４０２はＰＵＣＣＨフィードバックに利用されるセル（例えばＰセル）であり、セル４０４はＳセルである。この例では、所定のＴＤＤ構成４１０（すなわち、ＴＤＤ  ＣＣのＵＬサブフレーム４２０、ＤＬサブフレーム４２２及び特別サブフレーム４２４のシーケンスを決定するＴＤＤアップリンク（ＵＬ）／ダウンリンク（ＤＬ）構成）は構成タイプ１のものであるが、当然ながら他の構成タイプも考えられる。
【００１８】
従来、ＴＤＤ−ＴＤＤ  ＣＡシステムを用いる場合、第１のサブフレームの間のＰＤＳＣＨに応答して、ＵＥは、ＴＤＤ  ＨＡＲＱタイムライン（３ＧＰＰ  ＴＳ  ３６．２１３のセクション１０．１．３．１に規定される）に従って指定される後続のサブフレームインデックス値で、ＳセルｅＮＢにＨＡＲＱ−アクノリッジメント（ＡＣＫ）又はＨＡＲＱネガティブＡＣＫ（ＮＡＣＫ）を送信する。しかしながら、このようなＴＤＤ  ＨＡＲＱタイムラインでは、所与のＴＤＤ  ＵＬ／ＤＬ構成タイプにおいて、各伝送時間間隔についてアップリンクサブフレームを提供することができず、ＴＤＤシステムは必然的に、ダウンリンク用に少なくともいくつかのサブフレームを用いる。したがって、このようなＴＤＤ  ＨＡＲＱタイムラインに従うＵＥは、上述のＨＡＲＱ−ＡＣＫ又はＨＡＲＱ−ＮＡＣＫを送信できるようになる前に、アップリンクサブフレームが利用可能になるまで待機させられることになる。
【００１９】
一方、共同オペレーションでは、ＦＤＤ  ＵＬとＤＬは、時間において重複する別々のリソースであるので、ＦＤＤ  ＣＣ  ＵＬ４３０上には利用可能なサブフレームが常に存在する。したがって、タイムライン４００を採用するＵＥは単純に、ＦＤＤ  ＨＡＲＱタイミングに従って、そのＨＡＲＱ−ＡＣＫ又はＨＡＲＱ−ＮＡＣＫを提供する。３ＧＰＰ  ＴＳ３６．２１３のセクション１０．１．２．１には、矢印４４０によって示される例示的なＦＤＤ  ＨＡＲＱタイミングが規定されており、ＴＤＤ  Ｓセル４０４のＰＤＳＣＨがＦＤＤ  ＨＡＲＱタイムラインに従ってＦＤＤセル４０２にＨＡＲＱ−ＡＣＫをフィードバックすることが示される。この技術は、より均一にＨＡＲＱペイロードをアップリンクサブフレームに分散させる。また、この技術により、往復時間（ＲＴＴ）待ち時間が低減される。なぜなら、ＲＴＴ待ち時間は、ＴＤＤシステムのもの（３ＧＰＰ  ＴＳ３６．２１３のセクション１０．１．３．１に指定されるように、サブフレームインデックス値及びＴＤＤ  ＵＬ／ＤＬ構成タイプに依存する）と比較して、ＦＤＤシステムのもの（すなわち、４つのサブフレームの持続時間である４ｍｓ）に基づくからである。
【００２０】
ＴＤＤ  ＵＬ／ＤＬ構成タイプ１を示すタイムライン４００によれば、サブフレーム＃０の間に、ＵＥ（図示なし）は第１のｅＮＢによって提供されるＦＤＤ  ＣＣで第１のＰＤＳＣＨ伝送を受信しており（４６０）、第２のｅＮＢによって提供されるＴＤＤ  ＣＣで第２のＰＤＳＣＨ伝送を受信しており（４６２）、これらは共同配置であってよく（２００、図２）、或いは非共同配置であってよい（３００、図３）。ＵＥはその後、第１のＰＤＳＣＨの受信に応答して第１のＨＡＲＱビットメッセージを生成し、第２のＰＤＳＣＨの受信に応答して、第２のｅＮＢに関して第２のＨＡＲＱビットメッセージを生成している。サブフレーム＃４の間に、ＵＥは、ＦＤＤ  ＣＣのアップリンクサブフレームにおいて、ＦＤＤ  ＬＴＥシステムの所定のＨＡＲＱタイミングに従って第１のＨＡＲＱビットメッセージを送信しており（４８０）、ＦＤＤ  ＣＣの同じアップリンクサブフレームにおいて、所定のＨＡＲＱタイミングに従って第２のＨＡＲＱビットメッセージを送信している（４８２）。前に述べたように、所定のＨＡＲＱタイミングは３ＧＰＰ  ＴＳ３６．２１３に指定され、サブフレームインデックス値ｎの間のＰＤＳＣＨにより、ＵＥはサブフレームインデックス値ｎ＋４の間に関連のＨＡＲＱメッセージを送信する。
【００２１】
４．ＰＵＳＣＨ  ＨＡＲＱタイムライン
現在、ＣＡシステムにおけるアップリンク伝送のためのスケジューリング技術には２つのタイプがある。第１のタイプはセルフスケジューリングと呼ばれ、各ＣＣが、該ＣＣ上でＰＵＳＣＨ伝送をスケジュールする自身のＰＤＣＣＨリソースとＰＨＩＣＨリソースを含む。第２のタイプはクロスキャリアスケジューリングと呼ばれ、スケジューリングサービングセル（又は単にスケジューリングセル）は、スケジューリングセルとその（クロス）スケジュールドセルの両方のアップリンク伝送をスケジュールするＰＤＣＣＨ及びＰＨＩＣＨを有する。これら２つのケースの各々のＰＵＳＣＨ  ＨＡＲＱタイムラインは以下のとおりである。
【００２２】
セルフスケジューリングの場合、ＰＨＩＣＨは、ＣＣのＵＬ許可の送信に用いられた対応のＤＬ  ＣＣで送信され、各サービングセルはＰＵＳＣＨ  ＨＡＲＱフィードバックについて自身のＨＡＲＱタイミングに従う。すなわち、ＵＬ許可がＦＤＤ  ＣＣ上である場合、ＦＤＤ  ＰＵＳＣＨ  ＨＡＲＱタイミング（ＴＳ  ３６．２１３のセクション８．３に規定される）に従い、ＨＡＲＱメッセージはＰＨＩＣＨによりＦＤＤ  ＤＬで提供される。ＵＬ許可がＴＤＤ  ＣＣ上である場合、ＴＤＤ  ＰＵＳＣＨ  ＨＡＲＱタイミング（同様に、ＴＳ３６．２１３のセクション８．３に規定される）に従い、ＨＡＲＱメッセージはＰＨＩＣＨによりＴＤＤ  ＤＬで提供される。
【００２３】
クロスキャリアスケジューリングの場合、ＰＵＳＣＨ  ＨＡＲＱタイムライン設計について、いくつかの可能な設計がある。それらの設計は、スケジューリングセルがＦＤＤモードなのかＴＤＤモードなのかと、スケジュールドセルがＦＤＤ又はＴＤＤ  ＰＵＳＣＨスケジューリングとＨＡＲＱタイミングに従うのかに依存する。これらの設計の概要を以下の表に提供する。
【００２４】
【表１】
2016532342.tif 000003
ＴＤＤ−ＦＤＤ共同オペレーション、クロスキャリアスケジューリングキャリアアグリゲーションのためのＰＵＳＣＨスケジューリング及びＨＡＲＱタイミングの設計の表
ケース１によれば、ＦＤＤ  ＣＣはスケジューリングセルとして構成され、結果として、ＴＤＤ  ＣＣはＦＤＤ  ＣＣによってクロススケジューリングされる。図５及び図６に示すように、スケジューリングセルのＦＤＤ  ＣＣの各伝送時間間隔の間にＦＤＤ  ＤＬサブフレームがある。
【００２５】
したがって、ＰＵＳＣＨのＲｅｌ−１０クロスキャリアスケジューリングは、クロススケジューリングされたＴＤＤ  ＣＣに直接適用することができる。したがって、以下の２段落で説明するように、クロススケジューリングされたＴＤＤ  ＣＣは、ＴＤＤ  ＣＣのＰＵＳＣＨについて、ＦＤＤスケジューリング／ＨＡＲＱタイムラインかＴＤＤスケジューリング／ＨＡＲＱタイムラインのいずれかを任意に採用してよい
図５は、オプション１がＦＤＤ  ＣＣのＰＵＳＣＨスケジューリング／ＨＡＲＱタイムライン５００に従うことを示す。このアプローチの目的は、ＴＤＤ  ＣＣのＰＵＳＣＨの再送待ち時間を低減することである。ＵＬ再送タイミングは同期プロトコルを前提とするので、初期伝送後の所定の時間に再送が発生する。しかし、ＴＤＤ  ＣＣがオプション１のＦＤＤ  ＣＣ所定タイミングに従う場合、同期再送のための所定のサブフレームがＴＤＤ  ＳセルのＴＤＤ  ＤＬサブフレームであるとき、ＰＵＳＣＨ再送はブロックされてよい。例えば、図５のサブフレーム＃３の間にＵＥがＴＤＤ  ＣＣ上でＰＵＳＣＨを送信し、サブフレーム＃７の間に、ＰＨＩＣＨ又はＰＤＣＣＨがＵＥに、その送信されたＰＵＳＣＨに関してＨＡＲＱ−ＮＡＣＫを提供すると仮定すると、ＵＥは単純に同期プロトコルに従い、以下のサブフレーム＃１上でＰＵＳＣＨを再送することはできない。なぜなら、そのサブフレームはＴＤＤ  ＤＬサブフレームであり、この伝送時間の間に利用可能なＴＤＤ  ＵＬがないからである。これが発生すると、ＵＥは「ブロックされた」サブフレームがあることを認識し、ＵＥはそのサブフレームにおいて物理（ＰＨＹ）レイヤから媒体アクセス制御（ＭＡＣ）レイヤにＡＣＫを配送し、上位レイヤ（例えばＲＲＣ）シグナリングによって再送スケジューリングが処理される。
【００２６】
図６は、オプション２がＴＤＤ  ＣＣのＰＵＳＣＨスケジューリング／ＨＡＲＱタイムライン６００に従うことを示し、ＴＤＤ  ＣＣのＵＬサブフレームがＴＤＤ  ＳセルのＰＵＳＣＨ再送用に常に利用可能であるとする。これにより上述の「ブロックされた」再送が回避されるが、このアプローチでは、オプション１と比較して、（ＴＤＤシステムの）ＰＵＳＣＨ  ＲＴＴ待ち時間が大きくなってしまう。
【００２７】
ケース２によれば、ＴＤＤ  ＣＣはスケジューリングサービングセルとして構成され、ＦＤＤ  ＣＣはＴＤＤ  ＣＣに従ってクロススケジューリングされる。図７は、このケースにおいて、ＦＤＤスケジュールドセルがＴＤＤ  ＣＣのＰＵＳＣＨスケジューリング／ＨＡＲＱタイムライン７００に従うことを示す。したがって、ＵＬピークデータ転送速度性能を最大化するために、スケジューリングセルとスケジュールドセルの間の重複するＵＬサブフレームがクロススケジューリングされ、ＦＤＤセルはＴＤＤスケジューリングセルのスケジューリング／ＨＡＲＱタイミングに従う。上述の例では、タイムライン７００はＴＤＤ  ＵＬ／ＤＬ構成が構成タイプ１であると仮定したが、これは説明のために過ぎず、他の構成タイプも考えられる。
【００２８】
また、図７は、なぜＦＤＤスケジュールドセルがＦＤＤタイミングに従わないのかを示す。例えば、ＦＤＤセルがＦＤＤタイミングに従おうとすると仮定すると、ＦＤＤセルは、サブフレーム＃３の間にＰＵＳＣＨを送信し、それからサブフレーム＃７の間にＰＨＩＣＨにおいて対応するＨＡＲＱを検出することを期待することになる。しかしながら、表に示されるように、サブフレーム＃７はＴＤＤセルのＵＬサブフレームであり、したがって、ＰＨＩＣＨ又はＰＤＣＣＨには利用不可能である。
【００２９】
５．例示的なＵＥ
図８は、ＵＥ、移動局、モバイル無線装置、モバイル通信装置、タブレット、ヘッドセットその他のタイプのモバイル無線装置等のモバイルデバイスの例示的図示を提供する。モバイルデバイスは、基地局、ｅＮＢ、ベースバンドユニット、ＲＲＨ、遠隔無線装置、中継基地局、無線装置その他のタイプの無線広域ネットワーク（ＷＷＡＮ）アクセスポイント等の伝送基地局と通信するように構成される１以上のアンテナを有してよい。モバイルデバイスは、３ＧＰＰ  ＬＴＥ、ＷｉＭＡＸ、高速パケットアクセス、Ｂｌｕｅｔｏｏｔｈ（登録商標）及びＷｉＦｉを含む少なくとも１つの無線通信規格を用いて通信するように構成されてよい。モバイルデバイスは、各無線通信規格について個別のアンテナを用いて通信してよく、或いは複数の無線通信規格について共通のアンテナを用いて通信してよい。モバイルデバイスは、無線ローカルエリアネットワーク、無線パーソナルエリアネットワーク及び／又はＷＷＡＮにおいて通信してよい。
【００３０】
また、図８は、モバイルデバイスからの音声入出力に使用され得るとマイクと１以上のスピーカーの図示を提供する。表示画面は液晶表示画面であってよく、或いは有機発光ダイオードディスプレイ等の他のタイプの表示画面であってよい。表示画面はタッチスクリーンとして構成されてよい。タッチスクリーンは、容量性、抵抗性その他のタイプのタッチスクリーン技術を採用してよい。アプリケーションプロセッサ及びグラフィクスプロセッサは、内部メモリと結合されて、処理機能及び表示機能を提供することができる。また、不揮発性メモリポートを用いて、ユーザーにデータ入出力オプションを提供することができる。また、不揮発性メモリポートは、モバイルデバイスのメモリ機能を拡張するために使用されてよい。追加的なユーザー入力を提供するために、キーボードがモバイルデバイスに結合されてよく、或いはモバイルデバイスに無線で接続されてよい。タッチスクリーンを用いて仮想キーボードが提供されてもよい。
【００３１】
６．例示的実施形態
一実施形態では、時分割デュプレックス（ＴＤＤ）・周波数分割デュプレックス（ＦＤＤ）共同オペレーションのためのユーザーイクイップメント（ＵＥ）は、
第１の進化型ユニバーサル地上波無線アクセスネットワークノードＢ（ｅＮＢ）によって提供されるＦＤＤコンポーネントキャリア（ＣＣ）上の第１の物理ダウンリンク共有チャネル（ＰＤＳＣＨ）伝送を受信し、且つ、第２のｅＮＢによって提供されるＴＤＤ  ＣＣ上の第２のＰＤＳＣＨ伝送を受信するように構成される受信部と、
第１のＰＤＳＣＨの受信に応答して、第１のｅＮＢに関して第１のハイブリッド自動再送要求（ＨＡＲＱ）ビットメッセージを生成し、且つ、第２のＰＤＳＣＨの受信に応答して、第２のｅＮＢに関して第２のＨＡＲＱビットメッセージを生成するように構成される回路と、
ＦＤＤ  ＣＣの第１のアップリンクサブフレームにおいて、ＦＤＤ  ＬＴＥ（long  term  evolution）システムの所定のＨＡＲＱタイミングに従って、第１のＨＡＲＱビットメッセージを送信し、且つ、所定のＨＡＲＱタイミングに従って、ＦＤＤ  ＣＣの第２のアップリンクサブフレームにおいて第２のＨＡＲＱビットメッセージを送信するように構成される送信部と、
を備える。
【００３２】
該ＵＥ実施形態では、所定のＨＡＲＱタイミングは、ブフレームインデックス値がｎであるダウンリンクサブフレームにおいて受信されるＰＤＳＣＨ伝送に関して、サブフレームインデックス値がｎ＋４であるアップリンクサブフレームの間に対応するＨＡＲＱビットメッセージが送信されることを指定する。
【００３３】
該ＵＥ実施形態では、第１のｅＮＢと第２のｅＮＢは同じｅＮＢである。
【００３４】
該ＵＥ実施形態では、第１のｅＮＢと第２のｅＮＢは、バックホールインターフェースによって接続される異なるｅＮＢである。
【００３５】
前の４段落のいずれかのＵＥ実施形態では、第１のアップリンクサブフレームと第２のアップリンクサブフレームは同じサブフレームであり、送信部は、同じサブフレームにおいて、第１及び第２のｅＮＢに対して、第１及び第２のＨＡＲＱビットメッセージの連結を送信するように構成される。
【００３６】
該ＵＥ実施形態では、第１のＨＡＲＱビットメッセージはＨＡＲＱアクノリッジメント（ＨＡＲＱ−ＡＣＫ）ビットを含む。
【００３７】
該ＵＥ実施形態では、第１のｅＮＢは、物理アップリンク制御チャネル（ＰＵＣＣＨ）又は物理アップリンク共有チャネル（ＰＵＳＣＨ）において、第１及び第２のＨＡＲＱビットメッセージを受信する。
【００３８】
別の実施形態では、時分割デュプレックス（ＴＤＤ）・周波数分割デュプレックス（ＦＤＤ）共同オペレーションのための方法は、
第１の進化型ユニバーサル地上波無線アクセスネットワークノードＢ（ｅＮＢ）によって提供されるＦＤＤコンポーネントキャリア（ＣＣ）上の第１の物理ダウンリンク共有チャネル（ＰＤＳＣＨ）伝送を受信するステップと、
第２のｅＮＢによって提供されるＴＤＤ  ＣＣ上の第２のＰＤＳＣＨ伝送を受信するステップと、
第１のＰＤＳＣＨの受信に応答して、第１のｅＮＢに関して第１のハイブリッド自動再送要求（ＨＡＲＱ）ビットメッセージを生成するステップと、
第２のＰＤＳＣＨの受信に応答して、第２のｅＮＢに関して第２のＨＡＲＱビットメッセージを生成するステップと、
ＦＤＤ  ＣＣの第１のアップリンクサブフレームにおいて、ＦＤＤ  ＬＴＥ（long  term  evolution）システムの所定のＨＡＲＱタイミングに従って、第１のＨＡＲＱビットメッセージを送信するステップと、
所定のＨＡＲＱタイミングに従って、ＦＤＤ  ＣＣの第２のアップリンクサブフレームにおいて第２のＨＡＲＱビットメッセージを送信するステップと、
を有する。
【００３９】
該方法実施形態では、所定のＨＡＲＱタイミングは、サブフレームインデックス値がｎであるダウンリンクサブフレームにおいて受信されるＰＤＳＣＨ伝送に関して、対応するＨＡＲＱビットメッセージが、サブフレームインデックス値がｎ＋４であるアップリンクサブフレームの間に送信されることを指定する。
【００４０】
該方法実施形態では、第１のｅＮＢと第２のｅＮＢは同じｅＮＢである。
【００４１】
該方法実施形態では、第１のｅＮＢと第２のｅＮＢは、バックホールインターフェースによって接続される異なるｅＮＢである。
【００４２】
前の４段落のいずれかの方法実施形態では、第１のアップリンクサブフレームと第２のアップリンクサブフレームは同じサブフレームであり、同じサブフレームの間に、第１及び第２のｅＮＢに対して、第１及び第２のＨＡＲＱビットメッセージの連結が同時に送信される。
【００４３】
該方法実施形態では、第１のＨＡＲＱビットメッセージはＨＡＲＱアクノリッジメント（ＨＡＲＱ−ＡＣＫ）ビットを含む。
【００４４】
方法実施形態では、第１のｅＮＢは、物理アップリンク制御チャネル（ＰＵＣＣＨ）又は物理アップリンク共有チャネル（ＰＵＳＣＨ）において、第１及び第２のＨＡＲＱビットメッセージを受信する。
【００４５】
更に別の実施形態では、時分割デュプレックス（ＴＤＤ）・周波数分割デュプレックス（ＦＤＤ）共同オペレーションを促進するように構成されるコンピューター可読媒体には、ユーザーイクイップメント（ＵＥ）によって実行可能であり、該ＵＥに、
第１の進化型ユニバーサル地上波無線アクセスネットワークノードＢ（ｅＮＢ）によって提供されるＦＤＤコンポーネントキャリア（ＣＣ）上の第１の物理ダウンリンク共有チャネル（ＰＤＳＣＨ）伝送を受信するステップと、
第２のｅＮＢによって提供されるＴＤＤ  ＣＣ上の第２のＰＤＳＣＨ伝送を受信するステップと、
第１のＰＤＳＣＨの受信に応答して、第１のｅＮＢに対して、第１のハイブリッド自動再送要求（ＨＡＲＱ）ビットメッセージを生成するステップと、
第２のＰＤＳＣＨの受信に応答して、第２のｅＮＢに対して、第２のＨＡＲＱビットメッセージを生成するステップと、
ＦＤＤ  ＣＣの第１のアップリンクサブフレームにおいて、ＦＤＤ  ＬＴＥ（long  term  evolution）システムの所定のＨＡＲＱタイミングに従って、第１のＨＡＲＱビットメッセージを送信するステップと、
所定のＨＡＲＱタイミングに従って、ＦＤＤ  ＣＣの第２のアップリンクサブフレームにおいて第２のＨＡＲＱビットメッセージを送信するステップと、
を実行させるコンピューター実行可能命令が記憶されている。
【００４６】
該コンピューター可読媒体実施形態では、所定のＨＡＲＱタイミングは、サブフレームインデックス値がｎであるダウンリンクサブフレームにおいて受信されるＰＤＳＣＨ伝送に関して、サブフレームインデックス値がｎ＋４であるアップリンクサブフレームの間に対応するＨＡＲＱビットメッセージが送信されることを指定する。
【００４７】
該コンピューター可読媒体実施形態では、第１のｅＮＢと第２のｅＮＢは同じｅＮＢである。
【００４８】
該コンピューター可読媒体実施形態では、第１のｅＮＢと第２のｅＮＢは、バックホールインターフェースによって接続される異なるｅＮＢである。
【００４９】
前の４段落のいずれかのコンピューター可読媒体実施形態では、第１のアップリンクサブフレームと第２のアップリンクサブフレームは同じサブフレームであり、同じサブフレームの間に、第１及び第２のｅＮＢに対して、第１及び第２のＨＡＲＱビットメッセージの連結が同時に送信される。
【００５０】
該コンピューター可読媒体実施形態では、第１のＨＡＲＱビットメッセージはＨＡＲＱアクノリッジメント（ＨＡＲＱ−ＡＣＫ）ビットを有する。
【００５１】
該コンピューター可読媒体実施形態では、第１のｅＮＢは、物理アップリンク制御チャネル（ＰＵＣＣＨ）又は物理アップリンク共有チャネル（ＰＵＳＣＨ）において、第１及び第２のＨＡＲＱビットメッセージを受信する。
【００５２】
更に別の実施形態において、時分割デュプレックス（ＴＤＤ）・周波数分割デュプレックス（ＦＤＤ）（ＴＤＤ−ＦＤＤ）キャリアアグリゲーション（ＣＡ）（ＴＤＤ−ＦＤＤ  ＣＡ）構成に従う無線通信のためのユーザーイクイップメント（ＵＥ）は、
第１の所定のＰＵＳＣＨスケジューリングタイミングに対応する第１のサブフレームの間に、ＴＤＤ−ＦＤＤ  ＣＡ構成のＦＤＤ  ＣＣコンポーネントキャリア（ＣＣ）で第１の物理アップリンク共有チャネル（ＰＵＳＣＨ）を送信し、且つ、第２の所定のＰＵＳＣＨスケジューリングタイミングに対応する第２のサブフレームの間に、ＴＤＤ−ＦＤＤ  ＣＡ構成のＴＤＤ  ＣＣで第２のＰＵＳＣＨを送信するように構成される送信部であって、第１の所定のＰＵＳＣＨスケジューリングタイミングは第２の所定のＰＵＳＣＨスケジューリングタイミングとは異なる、送信部と、
ＦＤＤ  ＣＣ上で、第１の所定のＰＵＳＣＨハイブリッド自動再送要求（ＨＡＲＱ）タイミングに従って、第１のＰＵＳＣＨに関連する第１の物理ＨＡＲＱインジケータチャネル（ＰＨＩＣＨ）を検出し、且つ、ＴＤＤ  ＣＣ上で、第２の所定のＰＵＳＣＨ  ＨＡＲＱタイミングに従って、第２のＰＵＳＣＨに関連する第２のＰＨＩＣＨを検出するようにＵＥを構成するための回路であって、第１の所定のＰＵＳＣＨ  ＨＡＲＱタイミングは第２の所定のＰＵＳＣＨ  ＨＡＲＱタイミングとは異なる、回路と、
を備える。
【００５３】
該ＵＥ実施形態では、ＦＤＤ  ＣＣ及びＴＤＤ  ＣＣ上で、第１のＰＵＳＣＨと関連する第１のＰＨＩＣＨと第２のＰＵＳＣＨと関連する第２のＰＨＩＣＨとを同時に受信するように構成される受信部を更に備える。
【００５４】
該ＵＥ実施形態では、第１の所定のＰＵＳＣＨスケジューリングタイミングは、サブフレームインデックス値がｎであるダウンリンクサブフレームの間に当該ＵＥがＦＤＤ  ＣＣアップリンク許可を受信することに応答して、送信部が、サブフレームインデックス値がｎ＋４であるＦＤＤアップリンクサブフレームにおいて第１のＰＵＳＣＨを送信するように構成されることを指定する。
【００５５】
該ＵＥ実施形態では、第２の所定のＰＵＳＣＨスケジューリングタイミングは、サブフレームインデックス値がｎであるダウンリンクサブフレームの間に当該ＵＥがＴＤＤ  ＣＣアップリンク許可を受信することに応答して、送信部が、サブフレームインデックス値がｎ＋ｋであるＴＤＤアップリンクサブフレームにおいて第２のＰＵＳＣＨを送信するように構成されることを指定する。ｋ＞４であり、ｋは前記ＴＤＤ  ＣＣの予め構成されたＴＤＤ構成タイプに基づく。
【００５６】
該ＵＥ実施形態では、第１の所定のＰＵＳＣＨ  ＨＡＲＱタイミングは、サブフレームインデックス値ｎの間のＦＤＤ  ＣＣ上のＰＵＳＣＨが、サブフレームインデックス値ｎ＋４の間の第１のＰＨＩＣＨ上に関連のＨＡＲＱメッセージを有することが指定される。
【００５７】
該ＵＥ実施形態では、第２の所定のＰＵＳＣＨ  ＨＡＲＱタイミングは、サブフレームインデックス値ｎの間のＴＤＤ  ＣＣ上のＰＵＳＣＨが、サブフレームインデックス値ｎ＋ｋの間の第２のＰＨＩＣＨ上に関連のＨＡＲＱメッセージを有することを指定する。ｋ＞４であり、ｋはＴＤＤ  ＣＣの予め構成されたＴＤＤ構成に基づく。
【００５８】
該ＵＥ実施形態では、ＦＤＤ及びＴＤＤ  ＣＣは、共同配置の進化型ユニバーサル地上波無線アクセスネットワークノードＢによって提供される。
【００５９】
別の実施形態において、時分割デュプレックス（ＴＤＤ）・周波数分割デュプレックス（ＦＤＤ）（ＴＤＤ−ＦＤＤ）キャリアアグリゲーション（ＣＡ）（ＴＤＤ−ＦＤＤ  ＣＡ）構成に従う無線通信の方法は、
第１の所定のＰＵＳＣＨスケジューリングタイミングに対応する第１のサブフレームの間に、ＴＤＤ−ＦＤＤ  ＣＡ構成のＦＤＤ  ＣＣコンポーネントキャリア（ＣＣ）で第１の物理アップリンク共有チャネル（ＰＵＳＣＨ）を送信するステップと、
第２の所定のＰＵＳＣＨスケジューリングタイミングに対応する第２のサブフレームの間に、ＴＤＤ−ＦＤＤ  ＣＡ構成のＴＤＤ  ＣＣで第２のＰＵＳＣＨを送信するステップであって、第１の所定のＰＵＳＣＨスケジューリングタイミングは第２の所定のＰＵＳＣＨスケジューリングタイミングとは異なる、ステップと、
ＦＤＤ  ＣＣ上で、第１の所定のＰＵＳＣＨハイブリッド自動再送要求（ＨＡＲＱ）タイミングに従って、第１のＰＵＳＣＨに関連する第１の物理ＨＡＲＱインジケータチャネル（ＰＨＩＣＨ）を検出するステップと、
ＴＤＤ  ＣＣ上で、第２の所定のＰＵＳＣＨ  ＨＡＲＱタイミングに従って、第２のＰＵＳＣＨに関連する第２のＰＨＩＣＨを検出するステップであって、第１の所定のＰＵＳＣＨ  ＨＡＲＱタイミングは第２の所定のＰＵＳＣＨ  ＨＡＲＱタイミングとは異なる、ステップと、
を有する。
【００６０】
該方法実施形態では、ＦＤＤ  ＣＣ及びＴＤＤ  ＣＣ上で、第１のＰＵＳＣＨと関連する第１のＰＨＩＣＨと第２のＰＵＳＣＨと関連する第２のＰＨＩＣＨとを同時に受信するステップ、を更に有する。
【００６１】
該方法実施形態では、第１の所定のＰＵＳＣＨスケジューリングタイミングは、サブフレームインデックス値がｎであるダウンリンクサブフレームの間に当該ＵＥがＦＤＤ  ＣＣアップリンク許可を受信することに応答して、サブフレームインデックス値がｎ＋４であるＦＤＤアップリンクサブフレームにおいて、第１のＰＵＳＣＨの送信が発生することを指定する。
【００６２】
該方法実施形態では、第２の所定のＰＵＳＣＨスケジューリングタイミングは、サブフレームインデックス値がｎであるダウンリンクサブフレームの間に当該ＵＥがＴＤＤ  ＣＣアップリンク許可を受信することに応答して、サブフレームインデックス値がｎ＋ｋであるＴＤＤアップリンクサブフレームにおいて、第２のＰＵＳＣＨの送信が発生することを指定する。ｋ＞４であり、ｋはＴＤＤ  ＣＣの予め構成されたＴＤＤ構成タイプに基づく。
【００６３】
該方法実施形態では、第１の所定のＰＵＳＣＨ  ＨＡＲＱタイミングは、サブフレームインデックス値ｎの間のＦＤＤ  ＣＣ上のＰＵＳＣＨが、サブフレームインデックス値ｎ＋４の間の第１のＰＨＩＣＨ上に関連のＨＡＲＱメッセージを有することを指定する。
【００６４】
該方法実施形態では、第２の所定のＰＵＳＣＨ  ＨＡＲＱタイミングは、サブフレームインデックス値ｎの間のＴＤＤ  ＣＣ上のＰＵＳＣＨが、サブフレームインデックス値ｎ＋ｋの間の第２のＰＨＩＣＨ上に関連のＨＡＲＱメッセージを有することを指定する。ｋ＞４であり、ｋはＴＤＤ  ＣＣの予め構成されたＴＤＤ構成に基づく。
【００６５】
該方法実施形態では、ＦＤＤ及びＴＤＤ  ＣＣは、共同配置の進化型ユニバーサル地上波無線アクセスネットワークノードＢによって提供される。
【００６６】
別の実施形態によれば、時分割デュプレックス（ＴＤＤ）・周波数分割デュプレックス（ＦＤＤ）（ＴＤＤ−ＦＤＤ）キャリアアグリゲーション（ＣＡ）（ＴＤＤ−ＦＤＤ  ＣＡ）構成に従う無線通信のためのコンピューター可読媒体には、ユーザーイクイップメント（ＵＥ）によって実行可能であり、該ＵＥに、
第１の所定のＰＵＳＣＨスケジューリングタイミングに対応する第１のサブフレームの間に、ＴＤＤ−ＦＤＤ  ＣＡ構成のＦＤＤ  ＣＣコンポーネントキャリア（ＣＣ）上に第１の物理アップリンク共有チャネル（ＰＵＳＣＨ）を送信するステップと、
第２の所定のＰＵＳＣＨスケジューリングタイミングに対応する第２のサブフレームの間に、ＴＤＤ−ＦＤＤ  ＣＡ構成のＴＤＤ  ＣＣ上に第２のＰＵＳＣＨを送信するステップであって、第１の所定のＰＵＳＣＨスケジューリングタイミングは第２の所定のＰＵＳＣＨスケジューリングタイミングとは異なる、ステップと、
ＦＤＤ  ＣＣ上で、第１の所定のＰＵＳＣＨハイブリッド自動再送要求（ＨＡＲＱ）タイミングに従って、第１のＰＵＳＣＨに関連する第１の物理ＨＡＲＱインジケータチャネル（ＰＨＩＣＨ）を検出するステップと、
ＴＤＤ  ＣＣ上で、第２の所定のＰＵＳＣＨ  ＨＡＲＱタイミングに従って、第２のＰＵＳＣＨに関連する第２のＰＨＩＣＨを検出するステップであって、第１の所定のＰＵＳＣＨ  ＨＡＲＱタイミングは第２の所定のＰＵＳＣＨ  ＨＡＲＱタイミングとは異なる、ステップと、
を実行させるコンピューター実行可能命令が記憶されている。
【００６７】
該コンピューター可読媒体実施形態では、ユーザーイクイップメント（ＵＥ）によって実行可能であり、該ＵＥに、ＦＤＤ  ＣＣ及びＴＤＤ  ＣＣ上で、第１のＰＵＳＣＨと関連する第１のＰＨＩＣＨと第２のＰＵＳＣＨと関連する第２のＰＨＩＣＨとを同時に受信するステップ、を実行させる命令を更に有する。
【００６８】
該コンピューター可読媒体実施形態では、第１の所定のＰＵＳＣＨスケジューリングタイミングは、サブフレームインデックス値がｎであるダウンリンクサブフレームの間にＵＥがＦＤＤ  ＣＣアップリンク許可を受信することに応答して、ＵＥが、サブフレームインデックス値がｎ＋４であるＦＤＤアップリンクサブフレームにおいて第１のＰＵＳＣＨを送信することを指定する。
【００６９】
該コンピューター可読媒体実施形態では、第２の所定のＰＵＳＣＨスケジューリングタイミングは、サブフレームインデックス値がｎであるダウンリンクサブフレームの間にＵＥがＴＤＤ  ＣＣアップリンク許可を受信することに応答して、ＵＥが、サブフレームインデックス値がｎ＋ｋであるＴＤＤアップリンクサブフレームにおいて第２のＰＵＳＣＨを送信することを指定する。ｋ＞４であり、ｋはＴＤＤ  ＣＣの予め構成されたＴＤＤ構成タイプに基づく。
【００７０】
該コンピューター可読媒体実施形態では、第１の所定のＰＵＳＣＨ  ＨＡＲＱタイミングは、サブフレームインデックス値ｎの間のＦＤＤ  ＣＣ上のＰＵＳＣＨが、サブフレームインデックス値ｎ＋４の間の第１のＰＨＩＣＨ上に関連のＨＡＲＱメッセージを有することを指定する。
【００７１】
該コンピューター可読媒体実施形態では、第２の所定のＰＵＳＣＨ  ＨＡＲＱタイミングが、サブフレームインデックス値ｎの間のＴＤＤ  ＣＣ上のＰＵＳＣＨが、サブフレームインデックス値ｎ＋ｋの間の第２のＰＨＩＣＨ上に関連のＨＡＲＱメッセージを有することを指定する。ｋ＞４であり、ｋはＴＤＤ  ＣＣの予め構成されたＴＤＤ構成に基づく。
【００７２】
該コンピューター可読媒体実施形態では、ＦＤＤ及びＴＤＤ  ＣＣは、共同配置の進化型ユニバーサル地上波無線アクセスネットワークノードＢによって提供される。
【００７３】
更に別の実施形態では、クロスキャリアスケジュールドキャリアアグリゲーション用に構成されるユーザーイクイップメント（ＵＥ）は回路を備え、
回路は、
第１のデュプレックスモードを有するスケジューリングセルにおいて、物理ハイブリッド自動再送要求（ＨＡＲＱ）インジケータチャネル（ＰＨＩＣＨ）又は物理的ダウンリンク制御チャネル（ＰＤＣＣＨ）を復号して、後続のＰＵＳＣＨをスケジューリングする情報を取得するように構成され、後続のＰＵＳＣＨは、スケジューリングセルの第１のＰＵＳＣＨと、第１のデュプレックスモードとは異なる第２のデュプレックスモードを有するスケジュールドセルの第２のＰＵＳＣＨとを含み、
且つ、ＰＨＩＣＨから、第１のＰＵＳＣＨに応答する第１のＨＡＲＱを検出するように構成され、第１のＨＡＲＱは、第１のデュプレックスモードに対応する第１の所定のＨＡＲＱタイミングに従って検出され、
且つ、ＰＨＩＣＨから、第２のＰＵＳＣＨに応答する第２のＨＡＲＱを検出するように構成され、第２のＨＡＲＱは、第１のデュプレックスモード又は第２のデュプレックスモードに対応する第２の所定のＨＡＲＱタイミングに従って検出される。
【００７４】
該ＵＥ実施形態では、第１のデュプレックスモードはＦＤＤモードであり、第２のデュプレックスモードはＴＤＤモードである。
【００７５】
該ＵＥ実施形態では、第１のデュプレックスモードはＴＤＤモードであり、第２のデュプレックスモードはＦＤＤモードである。
【００７６】
該ＵＥ実施形態では、第１のデュプレックスモードはＦＤＤモードであり、第２のデュプレックスモードはＴＤＤモードである。当該ＵＥがサブフレームインデックス値ｎの間にスケジュールドセルと関連するＰＤＣＣＨ又はＰＨＩＣＨ伝送を受信することに応答して、第２のＰＵＳＣＨは、所定のＦＤＤ  ＰＵＳＣＨスケジューリングに従って、サブフレームインデックス値ｎ＋４の間に送信されるように構成される。
【００７７】
該ＵＥ実施形態では、当該ＵＥがサブフレームインデックス値ｎの間にスケジュールドセルと関連するＰＤＣＣＨ又はＰＨＩＣＨを受信することに応答して、第２のＰＵＳＣＨは、サブフレームインデックス値ｎ＋ｋの間に送信されるように構成される。ｋ＞４であり、ｋは予め構成されたＴＤＤ構成タイプに基づく。
【００７８】
該ＵＥ実施形態では、第１のデュプレックスモードはＦＤＤモードであり、第２のデュプレックスモードはＴＤＤモードである。第２の所定のＨＡＲＱタイミングはＦＤＤモードに対応する。第２の所定のＨＡＲＱタイミングは、サブフレームインデックス値ｎの間に送信された第２のＰＵＳＣＨが、サブフレームインデックス値ｎ＋４の間にＰＨＩＣＨで搬送される関連のＨＡＲＱメッセージを有することを指定する。
【００７９】
該ＵＥ実施形態では、第２の所定のＨＡＲＱタイミングはＴＤＤモードに対応する。第２の所定のＨＡＲＱタイミングは、サブフレームインデックス値ｎの間に送信された第２のＰＵＳＣＨが、サブフレームインデックス値ｎ＋ｋの間にＰＨＩＣＨで搬送される関連のＨＡＲＱメッセージを有することを指定する。ｋ＞４であり、ｋは予め構成されたＴＤＤ構成に基づく。
【００８０】
別の実施形態によれば、クロスキャリアスケジュールドキャリアアグリゲーションの方法は、
第１のデュプレックスモードを有するスケジューリングセルにおいて、物理ハイブリッド自動再送要求（ＨＡＲＱ）インジケータチャネル（ＰＨＩＣＨ）又は物理的ダウンリンク制御チャネル（ＰＤＣＣＨ）を復号して、後続のＰＵＳＣＨをスケジューリングする情報を取得するステップであって、後続のＰＵＳＣＨは、スケジューリングセルの第１のＰＵＳＣＨと、第１のデュプレックスモードとは異なる第２のデュプレックスモードを有するスケジュールドセルの第２のＰＵＳＣＨとを含む、ステップと、
ＰＨＩＣＨから、第１のＰＵＳＣＨに応答する第１のＨＡＲＱを検出するステップであって、第１のＨＡＲＱは、第１のデュプレックスモードに対応する第１の所定のＨＡＲＱタイミングに従って検出される、ステップと、
ＰＨＩＣＨから、第２のＰＵＳＣＨに応答する第２のＨＡＲＱを検出するステップであって、第２のＨＡＲＱは、第１のデュプレックスモード又は第２のデュプレックスモードに対応する第２の所定のＨＡＲＱタイミングに従って検出される、ステップと、
を有する。
【００８１】
該方法実施形態では、第１のデュプレックスモードはＦＤＤモードであり、第２のデュプレックスモードはＴＤＤモードである。
【００８２】
該方法実施形態では、第１のデュプレックスモードはＴＤＤモードであり、第２のデュプレックスモードはＦＤＤモードである。
【００８３】
該方法実施形態では、第１のデュプレックスモードはＦＤＤモードであり、第２のデュプレックスモードはＴＤＤモードである。ＵＥがサブフレームインデックス値ｎの間にスケジュールドセルと関連するＰＤＣＣＨ又はＰＨＩＣＨ伝送を受信することに応答して、第２のＰＵＳＣＨは、所定のＦＤＤ  ＰＵＳＣＨスケジューリングに従って、サブフレームインデックス値ｎ＋４の間に送信されるように構成される。
【００８４】
該方法実施形態では、ＵＥがサブフレームインデックス値ｎの間にスケジュールドセルと関連するＰＤＣＣＨ又はＰＨＩＣＨを受信することに応答して、第２のＰＵＳＣＨは、サブフレームインデックス値ｎ＋ｋの間に送信されるように構成される。ｋ＞４であり、ｋは予め構成されたＴＤＤ構成タイプに基づく。
【００８５】
該方法実施形態では、第１のデュプレックスモードはＦＤＤモードであり、第２のデュプレックスモードはＴＤＤモードである。第２の所定のＨＡＲＱタイミングはＦＤＤモードに対応する。第２の所定のＨＡＲＱタイミングは、サブフレームインデックス値ｎの間に送信された第２のＰＵＳＣＨが、サブフレームインデックス値ｎ＋４の間にＰＨＩＣＨで搬送される関連のＨＡＲＱメッセージを有することを指定する。
【００８６】
該方法実施形態では、第２の所定のＨＡＲＱタイミングはＴＤＤモードに対応する。第２の所定のＨＡＲＱタイミングは、サブフレームインデックス値ｎの間に送信された第２のＰＵＳＣＨが、サブフレームインデックス値ｎ＋ｋの間にＰＨＩＣＨで搬送される関連のＨＡＲＱメッセージを有することを指定する。ｋ＞４であり、ｋは予め構成されたＴＤＤ構成に基づく。
【００８７】
更に別の実施形態では、クロスキャリアスケジュールドキャリアアグリゲーションのためのコンピューター可読媒体には、ユーザーイクイップメント（ＵＥ）によって実行可能であり、該ＵＥに、
第１のデュプレックスモードを有するスケジューリングセルにおいて、物理ハイブリッド自動再送要求（ＨＡＲＱ）インジケータチャネル（ＰＨＩＣＨ）又は物理的ダウンリンク制御チャネル（ＰＤＣＣＨ）を復号して、後続のＰＵＳＣＨをスケジューリングする情報を取得するステップであって、後続のＰＵＳＣＨは、スケジューリングセルの第１のＰＵＳＣＨと、第１のデュプレックスモードとは異なる第２のデュプレックスモードを有するスケジュールドセルの第２のＰＵＳＣＨとを含む、ステップと、
ＰＨＩＣＨから、第１のＰＵＳＣＨに応答する第１のＨＡＲＱを検出するステップであって、第１のＨＡＲＱは、第１のデュプレックスモードに対応する第１の所定のＨＡＲＱタイミングに従って検出される、ステップと、
ＰＨＩＣＨから、第２のＰＵＳＣＨに応答する第２のＨＡＲＱを検出するステップであって、第２のＨＡＲＱは、第１のデュプレックスモード又は第２のデュプレックスモードに対応する第２の所定のＨＡＲＱタイミングに従って検出される、ステップと、
を実行させるためのコンピューター実行可能命令が記憶されている。
【００８８】
該コンピューター可読媒体実施形態では、第１のデュプレックスモードはＦＤＤモードであり、第２のデュプレックスモードはＴＤＤモードである。
【００８９】
該コンピューター可読媒体実施形態では、第１のデュプレックスモードはＴＤＤモードであり、第２のデュプレックスモードはＦＤＤモードである。
【００９０】
該コンピューター可読媒体実施形態では、第１のデュプレックスモードはＦＤＤモードであり、第２のデュプレックスモードはＴＤＤモードである。ＵＥがサブフレームインデックス値ｎの間に前記スケジュールドセルと関連するＰＤＣＣＨ又はＰＨＩＣＨ伝送を受信することに応答して、第２のＰＵＳＣＨは、所定のＦＤＤ  ＰＵＳＣＨスケジューリングに従って、サブフレームインデックス値ｎ＋４の間に送信されるように構成される。
【００９１】
該コンピューター可読媒体実施形態では、ＵＥがサブフレームインデックス値ｎの間にスケジュールドセルと関連するＰＤＣＣＨ又はＰＨＩＣＨを受信することに応答して、第２のＰＵＳＣＨは、サブフレームインデックス値ｎ＋ｋの間に送信されるように構成される。ｋ＞４であり、ｋは予め構成されたＴＤＤ構成タイプに基づく。
【００９２】
該コンピューター可読媒体実施形態では、第１のデュプレックスモードはＦＤＤモードであり、第２のデュプレックスモードはＴＤＤモードである。第２の所定のＨＡＲＱタイミングはＦＤＤモードに対応する。第２の所定のＨＡＲＱタイミングは、サブフレームインデックス値ｎの間に送信された第２のＰＵＳＣＨが、サブフレームインデックス値ｎ＋４の間にＰＨＩＣＨで搬送される関連のＨＡＲＱメッセージを有することを指定する。
【００９３】
該コンピューター可読媒体実施形態では、第２の所定のＨＡＲＱタイミングはＴＤＤモードに対応する。第２の所定のＨＡＲＱタイミングは、サブフレームインデックス値ｎの間に送信された第２のＰＵＳＣＨが、サブフレームインデックス値ｎ＋ｋの間にＰＨＩＣＨで搬送される関連のＨＡＲＱメッセージを有することを指定するｋ＞４であり、ｋは予め構成されたＴＤＤ構成に基づく。
【００９４】
別の実施形態では、時分割デュプレックス（ＴＤＤ）・周波数分割デュプレックス（ＦＤＤ）共同オペレーションのためのユーザーイクイップメント（ＵＥ）は、
第１の進化型ユニバーサル地上波無線アクセスネットワークノードＢ（ｅＮＢ）によって提供されるＦＤＤコンポーネントキャリア（ＣＣ）上の第１の物理ダウンリンク共有チャネル（ＰＤＳＣＨ）伝送を受信する手段と、
第２のｅＮＢによって提供されるＴＤＤ  ＣＣ上の第２のＰＤＳＣＨ伝送を受信する手段と、
第１のＰＤＳＣＨの受信に応答して、第１のｅＮＢに対して、第１のハイブリッド自動再送要求（ＨＡＲＱ）ビットメッセージを生成する手段と、
第２のＰＤＳＣＨの受信に応答して、第２のｅＮＢに対して、第２のＨＡＲＱビットメッセージを生成する手段と、
ＦＤＤ  ＣＣの第１のアップリンクサブフレームにおいて、ＦＤＤ  ＬＴＥ（long  term  evolution）システムの所定のＨＡＲＱタイミングに従って、第１のＨＡＲＱビットメッセージを送信する手段と、
所定のＨＡＲＱタイミングに従って、ＦＤＤ  ＣＣの第２のアップリンクサブフレームにおいて第２のＨＡＲＱビットメッセージを送信する手段と、
を備える。
【００９５】
更に別の実施形態では、時分割デュプレックス（ＴＤＤ）・周波数分割デュプレックス（ＦＤＤ）（ＴＤＤ−ＦＤＤ）キャリアアグリゲーション（ＣＡ）（ＴＤＤ−ＦＤＤ  ＣＡ）構成に従う無線通信のためのユーザーイクイップメント（ＵＥ）は、
第１の所定のＰＵＳＣＨスケジューリングタイミングに対応する第１のサブフレームの間に、ＴＤＤ−ＦＤＤ  ＣＡ構成のＦＤＤ  ＣＣコンポーネントキャリア（ＣＣ）で第１の物理アップリンク共有チャネル（ＰＵＳＣＨ）を送信する手段と、
第２の所定のＰＵＳＣＨスケジューリングタイミングに対応する第２のサブフレームの間に、ＴＤＤ−ＦＤＤ  ＣＡ構成のＴＤＤ  ＣＣで第２のＰＵＳＣＨを送信する手段であって、第１の所定のＰＵＳＣＨスケジューリングタイミングは第２の所定のＰＵＳＣＨスケジューリングタイミングとは異なる、手段と、
ＦＤＤ  ＣＣ上で、第１の所定のＰＵＳＣＨハイブリッド自動再送要求（ＨＡＲＱ）タイミングに従って、第１のＰＵＳＣＨに関連する第１の物理ＨＡＲＱインジケータチャネル（ＰＨＩＣＨ）を検出する手段と、
ＴＤＤ  ＣＣ上で、第２の所定のＰＵＳＣＨ  ＨＡＲＱタイミングに従って、第２のＰＵＳＣＨに関連する第２のＰＨＩＣＨを検出する手段であって、第１の所定のＰＵＳＣＨ  ＨＡＲＱタイミングは第２の所定のＰＵＳＣＨ  ＨＡＲＱタイミングとは異なる、手段と、
を備える。
【００９６】
別の実施形態では、クロスキャリアスケジュールドキャリアアグリゲーションのためのユーザーイクイップメント（ＵＥ）は、
第１のデュプレックスモードを有するスケジューリングセルにおいて、物理ハイブリッド自動再送要求（ＨＡＲＱ）インジケータチャネル（ＰＨＩＣＨ）又は物理的ダウンリンク制御チャネル（ＰＤＣＣＨ）を復号して、後続のＰＵＳＣＨをスケジューリングする情報を取得する手段であって、後続のＰＵＳＣＨは、スケジューリングセルの第１のＰＵＳＣＨと、第１のデュプレックスモードとは異なる第２のデュプレックスモードを有するスケジュールドセルの第２のＰＵＳＣＨとを含む、手段と、
ＰＨＩＣＨから、第１のＰＵＳＣＨに応答する第１のＨＡＲＱを検出する手段であって、第１のＨＡＲＱは、第１のデュプレックスモードに対応する第１の所定のＨＡＲＱタイミングに従って検出される、手段と、
ＰＨＩＣＨから、第２のＰＵＳＣＨに応答する第２のＨＡＲＱを検出する手段であって、第２のＨＡＲＱは、第１のデュプレックスモード又は第２のデュプレックスモードに対応する第２の所定のＨＡＲＱタイミングに従って検出される、手段と、
を備える。
【００９７】
当業者であれば、本発明の基本的な原理から逸脱することなく、上述の実施形態の詳細に多くの変更を適用できることが理解できるであろう。したがって、本発明の範囲は特許請求の範囲によってのみ決定されるものである。
【図１】
2016532342.tif 000004
【図２】
2016532342.tif 000005
【図３】
2016532342.tif 000006
【図４】
2016532342.tif 000007
【図５】
2016532342.tif 000008
【図６】
2016532342.tif 000009
【図７】
2016532342.tif 000010
【図８】
2016532342.tif 000011
【国際調査報告】
2016532342.tif 000012
2016532342.tif 000013
2016532342.tif 000014
2016532342.tif 000015